(57)【要約】【課題】携帯性と設置の自由度の高さを維持しつつ、長時間の運用が可能なメディア再生装置を提供する。【解決手段】本体１００にファーストバッテリ１５０を備えるとともに、着脱自在なスタンド部２００にセカンドバッテリ２１０を搭載し、本体１００は、スタンド部２００から離脱している場合には、電源管理部１７０の電源管理によりファーストバッテリ１５０の電力で駆動し、一方、スタンド部２００と接続している場合には、電源管理部１７０の電源管理によりセカンドバッテリ２１０の電力で駆動するようにしたものである。【選択図】      図３
2009230712.tif 000002
【特許請求の範囲】
【請求項１】
本体とスタンド部とを備え、これらが互いに着脱自在な機構を有するメディア再生装置であって、
前記本体は、
画像データを記憶する記憶手段と、
この記憶手段が記憶する画像データに基づく画像を表示する表示手段と、
この表示手段の駆動電力を蓄える第１バッテリとを備え、
前記スタンド部は、
前記本体の駆動電力を供給する第２バッテリと、
前記本体に接続した場合に、前記第２バッテリが蓄える駆動電力を前記本体に供給する供給手段とを備え、
さらに前記本体は、
前記供給手段を通じて前記第２バッテリから供給される駆動電力と、前記第１バッテリが蓄える駆動電力を前記表示手段に供給する電源管理手段を備えることを特徴とするメディア再生装置。
【請求項２】
前記電源管理手段は、前記供給手段を通じて前記第２バッテリから駆動電力が供給される場合には、この駆動電力を前記表示手段に供給し、一方、前記第２バッテリから駆動電力が供給されるない場合には、前記第１バッテリが蓄える駆動電力を前記表示手段に供給することを特徴とする請求項１に記載のメディア再生装置。
【請求項３】
外部バッテリを内蔵したスタンド部と、着脱自在な機構を備えたメディア再生装置であって、
画像データを記憶する記憶手段と、
この記憶手段が記憶する画像データに基づく画像を表示する表示手段と、
この表示手段の駆動電力を蓄える内部バッテリと、
前記外部バッテリから供給される駆動電力と、前記内部バッテリが蓄える駆動電力を前記表示手段に供給する電源管理手段とを具備することを特徴とするメディア再生装置。
【請求項４】
前記電源管理手段は、前記外部バッテリから駆動電力が供給される場合には、この駆動電力を前記表示手段に供給し、一方、前記外部バッテリから駆動電力が供給されるない場合には、前記内部バッテリが蓄える駆動電力を前記表示手段に供給することを特徴とする請求項３に記載のメディア再生装置。
【発明の詳細な説明】
【技術分野】
【０００１】
この発明は、例えば映像を表示可能なメディア再生装置に関する。
【背景技術】
【０００２】
周知のように、PDA(Personal Digital Assistance)や電子写真立て、携帯型音楽再生装置などは、二次電池を駆動電力として備えることで、ＡＣ電源などを用いることなく運用を可能としている。また特に、電子写真立てのようなメディア再生装置にあっては、机上に立てて運用するのが一般的である。このため、二次電池をスタンド内に搭載するようにしたものが考えられている（例えば、特許文献１参照）。
【０００３】
一方、メディア再生装置は、二次電池を駆動電力とすることで携帯性に優れ、またＡＣ電源を取る必要がないので利用場所の自由度が高いが、長時間駆動させるためには、大容量の二次電池が必要となり、大容量化すると携帯性を損ねることになる。すなわち、携帯性と設置の自由度の高さを維持しつつ、運用時間の長期化を図ることが難しいという問題があった。
【特許文献１】特開２００４−２２０４４０公報
【発明の開示】
【発明が解決しようとする課題】
【０００４】
従来のメディア再生装置では、携帯性と設置の自由度の高さを維持しつつ、運用時間の長期化を図ることが難しいという問題があった。  
この発明は上記の問題を解決すべくなされたもので、携帯性と設置の自由度の高さを維持しつつ、長時間の運用が可能なメディア再生装置を提供することを目的とする。
【課題を解決するための手段】
【０００５】
上記の目的を達成するために、この発明は、本体とスタンド部とを備え、これらが互いに着脱自在な機構を有するメディア再生装置であって、本体は、画像データを記憶する記憶手段と、この記憶手段が記憶する画像データに基づく画像を表示する表示手段と、この表示手段の駆動電力を蓄える第１バッテリとを備え、スタンド部は、本体の駆動電力を供給する第２バッテリと、本体に接続した場合に、第２バッテリが蓄える駆動電力を本体に供給する供給手段とを備え、さらに本体は、供給手段を通じて第２バッテリから供給される駆動電力と、第１バッテリが蓄える駆動電力を表示手段に供給する電源管理手段とを具備して構成するようにした。
【発明の効果】
【０００６】
以上述べたように、この発明では、本体の内部に備えた第１バッテリが蓄える電力と、スタンド部が備える第２バッテリが蓄える電力を駆動電力として、画像を表示するようにしている。  
したがって、この発明によれば、本体の内部に備えた第１バッテリからも駆動電力が得られるだけでなく、着脱自在なスタンド部が備える第２バッテリからも駆動電力が得られるので、携帯性と設置の自由度の高さを維持しつつ、長時間の運用が可能なメディア再生装置を提供できる。
【発明を実施するための最良の形態】
【０００７】
以下、図面を参照して、この発明の一実施形態について説明する。  
図１は、この発明の一実施形態に係わるメディア再生装置の構成を示すものである。このメディア再生装置は、本体１００と、スタンド部２００からなり、図２に示すように分離することができる。
【０００８】
また図３に示すように、本体１００とスタンド部２００は構成される。  
本体１００は、表示部１１０と、カードＩ／Ｆ１２１と、ＰＣＩ／Ｆ１２２と、操作部１３０と、ＡＣアダプタＩ／Ｆ１４０と、ファーストバッテリ１５０と、本体側電極１６０と、電源管理部１７０と、記憶部１８０と、制御部１９０とを備える。またスタンド部２００は、セカンドバッテリ２１０と、スタンド側電極２２０とを備える。
【０００９】
表示部１１０は、LCD(Liquid Crystal Display)や有機EL(Electro Luminescence)ディスプレイなどの表示デバイスを用いたものであり、後述する制御部１９０の制御にしたがって、静止画像や動画像を表示してユーザに映示する。
【００１０】
カードＩ／Ｆ１２１は、種々のカード型のフラッシュメモリを接続するためのインタフェースであって、制御部１９０の制御にしたがい、接続されたフラッシュメモリからデータを読み出したり、あるいは上記フラッシュメモリにデータを記録する。
【００１１】
ＰＣＩ／Ｆ１２２は、例えばＵＳＢ（Universal Serial Bus）やIEEE（The Institute of Electrical and Electronics Engineers, Inc.）1394などのパーソナルコンピュータと接続するためのインタフェースであって、制御部１９０の制御にしたがい、接続されたパーソナルコンピュータからデータの入力を受け付けたり、あるいはパーソナルコンピュータにデータを出力する。
【００１２】
操作部１３０は、複数のキースイッチなどを用いたユーザインタフェースであって、ユーザからの指示を受ける。  
ＡＣアダプタＩ／Ｆ１４０は、図示しないＡＣアダプタからＤＣ電力の供給を受けるものであり、供給された電力を後述する電源管理部１７０に出力する。
【００１３】
ファーストバッテリ１５０は、リチウムイオン型やニッケル水素型などの二次電池であって、当該メディア再生装置の駆動電力を蓄積する。なお、セカンドバッテリ２１０も同様の二次電池であるが、ファーストバッテリ１５０よりも蓄えられる電力容量が大きい。  本体側電極１６０は、スタンド部２００のスタンド側電極２２０と電気的に接続され、セカンドバッテリ２１０から電力の供給を受けるものであり、供給された電力を電源管理部１７０に出力する。
【００１４】
電源管理部１７０は、制御部１９０に制御にしたがい、ファーストバッテリ１５０、本体側電極１６０あるいはＡＣアダプタＩ／Ｆ１４０から供給される電力を当該メディア再生装置の各部に供給するものである。また電源管理部１７０は、ＡＣアダプタＩ／Ｆ１４０から電力が供給される場合には、この電力を駆動電力として用いるとともに、ファーストバッテリ１５０やセカンドバッテリ２１０の充電を行う。なお、この充電に関わる制御は周知の技術を適用できる。
【００１５】
そしてまた電源管理部１７０は、本体側電極１６０を通じてセカンドバッテリ２１０から電力の供給を受ける場合には、ファーストバッテリ１５０の電力よりも、セカンドバッテリ２１０から電力を優先的に駆動電力として利用する。その後、セカンドバッテリ２１０から電力の供給が途絶える（スタンド部２００の離脱やセカンドバッテリ２１０の電力枯渇）と、ファーストバッテリ１５０の電力を駆動電力として利用する。
【００１６】
つまり、本体１００にスタンド部２００が装着される場合には、セカンドバッテリ２１０の電力を駆動電力として利用し、一方、セカンドバッテリ２１０に蓄積される電力量が低下したり、本体１００からスタンド部２００が離脱した場合には、、ファーストバッテリ１５０の電力を駆動電力として利用するように、電源管理部１７０は電力供給の制御を行う。
【００１７】
記憶部１８０は、制御部１９０の制御プログラムや制御データを記憶するとともに、カードＩ／Ｆ１２１やＰＣＩ／Ｆ１２２を通じて外部から取り込まれた画像データを記憶するものである。
【００１８】
制御部１９０は、当該メディア再生装置の各部を統括して制御するものであって、記憶部１８０に記憶される制御プログラムや制御データに基づく制御を各部に対して行う。例えば、カードＩ／Ｆ１２１やＰＣＩ／Ｆ１２２を通じて外部から画像データなどを読み込み、記憶部１８０に記録する。また記憶部１８０から読み出した画像データに基づいて表示部１１０を駆動制御し、上記画像データに基づく映像を表示部１１０に表示させる。その他、操作部１３０を通じたユーザからの要求に応じて、表示させる画像データを切り替えたり、外部からのデータの読み込みや出力を行う。
【００１９】
次に、本体１００とスタンド部２００の接続構造について説明する。  
図４および図５に示すように、スタンド部２００は、本体１００の背面と接続するためのホールド部２３０と、セカンドバッテリ２１０を収納するセカンドバッテリ収納部２４０とを備え、これらがホールド部２３０側に設けられた回転ヒンジ部２０１により回動自在に接続されている。
【００２０】
ホールド部２３０は、本体１００と接続するために面状の形状を有しており、図６に示すような本体側に設けられた本体側レール溝１０１に嵌合するスタンド側レール部２０３を備える。またホールド部２３０は、本体１００と接続した場合に、本体１００の背面に設けられた本体側電極１６０と接触する位置にスタンド側電極２２０を備える（図７参照）。
【００２１】
またホールド部２３０は、図５および図９に示すように、ロック部２０２を備える。このロック部２０２は、ホールド部２３０を切り欠くことにより形成された板バネ部２０２１と、その端部に隆起したロック凸部２０２２を備える。一方、本体１００の背面には、図１０に示すように、ロック凸部２０２２に嵌合するロック凹部１０２を備える。
【００２２】
本体１００とスタンド部２００は、本体側レール溝１０１とスタンド側レール部２０３とが嵌合するようにスライドさせると、本体側電極１６０とスタンド側電極２２０とが電気的に接続される位置で、ロック凸部２０２２とロック凹部１０２が嵌合して、接続が完了する。またこの接続は、板バネ部２０２１の応力により固定されているので、再びスライドさせ、板バネ部２０２１を撓ませる程度の力を加えることで、ロック凸部２０２２とロック凹部１０２の嵌合が解除される。
【００２３】
本体１００とスタンド部２００が接続された状態で、回転ヒンジ部２０１による回動でセカンドバッテリ収納部２４０の面と本体１００の面にある程度の角度を持たせると、セカンドバッテリ収納部２４０および本体１００の各底面がそれぞれ脚となり、本体１００を起立させた状態で使用することができる。
【００２４】
以上のように、上記構成のメディア再生装置では、本体１００にファーストバッテリ１５０を備えるとともに、着脱自在なスタンド部２００にセカンドバッテリ２１０を搭載し、本体１００は、スタンド部２００から離脱している場合には、電源管理部１７０の電源管理によりファーストバッテリ１５０の電力で駆動し、一方、スタンド部２００と接続している場合には、電源管理部１７０の電源管理によりセカンドバッテリ２１０の電力で駆動するようにしている。
【００２５】
したがって、上記構成のメディア再生装置によれば、スタンド部２００から本体１００を取り外すことで携帯性に優れた運用が行え、またスタンド部２００に本体１００を接続することで、長時間の運用が可能となる。またＡＣアダプタは必ずしも必要としないので、設置の自由度も高い。
【００２６】
すなわち、携帯したり手に持って利用する場合には、スタンド部２００から本体１００を取り外して運用し、手に持たずにおいて利用する場合には、スタンド部２００に本体１００を接続して運用することができる。
【００２７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００２８】
その一例として例えば、上記実施の形態では、メディア再生装置の一例として、電子写真立てに相当する電子機器を例に挙げて説明したが、これに限定されるものではなく、種々の携帯型電子機器に適用可能であり、例えばPDAや携帯型音楽再生装置などにも適用可能である。
【００２９】
また上記実施の形態では、本体１００を起立した状態にするために、本体１００をスタンド部２００が支持するように、本体１００とスタンド部２００とが接続される構成を例に示したが、このような接続構造に限定されるものではない。例えばスタンド２００をクレードル形状とし、スタンド２００上に本体１００を載置して、本体１００とスタンド部２００とが接続されるようにしてもよい。  
その他、この発明の要旨を逸脱しない範囲で種々の変形を施しても同様に実施可能であることはいうまでもない。
【図面の簡単な説明】
【００３０】
【図１】この発明に係わるメディア再生装置の一実施の形態の構成を示す外観図。
【図２】図１に示したメディア再生装置の分離した状態を示す図。
【図３】図１に示したメディア再生装置の機能ブロックを示す図。
【図４】図１に示したメディア再生装置を背面斜め方向から見た外観図。
【図５】図１に示したメディア再生装置のスタンド部を正面斜め方向から見た外観図。
【図６】図１に示したメディア再生装置の本体とスタンド部の接続部分を拡大した図。
【図７】図１に示したメディア再生装置の本体とスタンド部の接続部分を拡大した図。
【図８】図１に示したメディア再生装置の本体とスタンド部との接続時の接続部分を拡大した図。
【図９】図１に示したメディア再生装置のスタンド部のロック部を拡大した図。
【図１０】図１に示したメディア再生装置の本体のロック凹部を拡大した図。
【図１１】図１に示したメディア再生装置の本体とスタンド部との接続時の接続部分を拡大した図。
【符号の説明】
【００３１】
１００…本体、１０１…本体側レール溝、１０２…ロック凹部、１１０…表示部、１２１…カードＩ／Ｆ、１２２…ＰＣＩ／Ｆ、１３０…操作部、１４０…ＡＣアダプタＩ／Ｆ、１５０…ファーストバッテリ、１６０…本体側電極、１７０…電源管理部、１８０…記憶部、１９０…制御部、２００…スタンド部、２０１…回転ヒンジ部、２０２…ロック部、２０３…スタンド側レール部、２１０…セカンドバッテリ、２２０…スタンド側電極、２３０…ホールド部、２４０…セカンドバッテリ収納部、２０２１…板バネ部、２０２２…ロック凸部、１７０…アダプタＩ／Ｆ。
【図１】
2009230712.tif 000003
【図２】
2009230712.tif 000004
【図３】
2009230712.tif 000005
【図４】
2009230712.tif 000006
【図５】
2009230712.tif 000007
【図６】
2009230712.tif 000008
【図７】
2009230712.tif 000009
【図８】
2009230712.tif 000010
【図９】
2009230712.tif 000011
【図１０】
2009230712.tif 000012
【図１１】
2009230712.tif 000013